(57)【要約】【課題】光式タッチパネルにおいて、入力領域内での複数の異なる位置での同時入力を、光検出機構の数を増やすことなく検出できるようにする。【解決手段】光式タッチパネル１０は、平面視で矩形輪郭を有する入力領域１２と、入力領域の外縁の一部分１２ａに沿って設置される発光部１４と、入力領域の外縁の他部分１２ｂに沿って発光部に平行かつ対向して設置される受光部１６と、受光部の出力信号に基づいて、入力領域における指やペンの入力位置を求める演算処理部１８とを備える。受光部は、発光部が放射した光Ｌを所定の視野角αで個々に受ける複数の受光部材２０であって、受けた光の強さに対応する信号Ｓをそれぞれに出力する複数の受光部材を、Ｘ軸方向へ並置した形態で備えている。演算処理部は、Ｘ軸方向へ並置した複数の受光部材のそれぞれが出力する信号に基づいて、入力領域における入力位置の、Ｘ軸の座標ｘとＹ軸の座標ｙとの、双方を算出する。【選択図】図１
2011081740.tif 000002
【特許請求の範囲】
【請求項１】
二次元の広がりを有する入力領域と、該入力領域の外縁の一部分に沿って設置される発光部と、該入力領域の該外縁の他部分に沿って該発光部に平行かつ対向して設置される受光部と、該受光部の出力信号に基づいて該入力領域における入力位置を求める演算処理部とを具備する光式タッチパネルにおいて、
前記受光部は、前記発光部が放射した光を所定の視野角で個々に受ける複数の受光部材であって、受けた光の強さに対応する信号をそれぞれに出力する複数の受光部材を、第１軸の方向へ並置した形態で備えており、
前記演算処理部は、前記第１軸の方向へ並置した前記複数の受光部材のそれぞれが出力する前記信号に基づいて、前記入力領域における入力位置の、前記第１軸の座標と、前記第１軸に直交する第２軸の座標との、双方を算出すること、
を特徴とする光式タッチパネル。
【請求項２】
前記受光部は、前記第１軸の方向へ所定ピッチで並べて配置される複数の受光素子と、該複数の受光素子に１つずつ個別に設けられ、該複数の受光素子の各々が前記視野角で前記光を受けるようにする複数の光学部品とを具備し、前記複数の受光部材の各々は、１つの該受光素子と、該受光素子に対応して設けられた１つの該光学部品とから構成される、請求項１に記載の光式タッチパネル。
【請求項３】
前記演算処理部は、前記複数の受光素子のうち、第１の受光素子が出力する前記信号の大きさと、該第１の受光素子に隣り合う第２の受光素子が出力する前記信号の大きさとの、差に基づいて、前記入力位置の前記第２軸の座標を算出する、請求項２に記載の光式タッチパネル。
【請求項４】
前記受光部は、前記第１軸の方向へ互いに直線状に連接して配置される複数の受光素子と、該複数の受光素子のうち１つ以上の受光素子をそれぞれに含む複数の素子列に１つずつ個別に設けられ、該複数の素子列の各々が前記視野角で前記光を受けるようにする複数の光学部品とを具備し、前記複数の受光部材の各々は、１つの該素子列と、該素子列に対応して設けられた１つの該光学部品とから構成される、請求項１に記載の光式タッチパネル。
【請求項５】
前記演算処理部は、前記複数の素子列のうち、第１の素子列に含まれるいずれか１つの特定受光素子が出力する前記信号の大きさと、該第１の素子列に対応する１つの前記光学部品に隣り合う他の１つの前記光学部品に対応する第２の素子列に含まれる、該第１の素子列の該特定受光素子と同じ相対位置にあるいずれか１つの特定受光素子が出力する前記信号の大きさとの、差に基づいて、前記入力位置の前記第２軸の座標を算出する、請求項４に記載の光式タッチパネル。
【請求項６】
前記演算処理部は、前記複数の素子列のうち、第１の素子列に含まれるいずれか２つ以上の特定受光素子が出力する前記信号の大きさの総和と、該第１の素子列に対応する１つの前記光学部品に隣り合う他の１つの前記光学部品に対応する第２の素子列に含まれる、該第１の素子列の該特定受光素子と同じ相対位置にあるいずれか２つ以上の特定受光素子が出力する前記信号の大きさの総和との、差に基づいて、前記入力位置の前記第２軸の座標を算出する、請求項４に記載の光式タッチパネル。
【請求項７】
前記発光部は、前記第１軸の方向へ所定ピッチで並べて配置される複数の発光素子と、該複数の発光素子に１つずつ個別に設けられ、個々の該発光素子が放射した光を所定の放射角で前記受光部に向ける複数の光学部品とを具備する、請求項１〜６のいずれか１項に記載の光式タッチパネル。
【請求項８】
前記発光部は、前記第１軸の方向へ延びる導光部材であって、光源から放射された光を伝播して前記入力領域の前記外縁の前記一部分の全体に渡り光を放射する導光部材を具備する、請求項１〜６のいずれか１項に記載の光式タッチパネル。
【請求項９】
二次元の広がりを有する入力領域と、該入力領域の外縁の一部分に沿って設置される発光部と、該入力領域の該外縁の他部分に沿って該発光部に平行かつ対向して設置される受光部と、該受光部の出力信号に基づいて該入力領域における入力位置を求める演算処理部とを具備する光式タッチパネルにおいて、
前記受光部は、
第１軸の方向へ互いに直線状に連接して配置される複数の受光素子であって、前記発光部が放射した光を個々に受けるとともに、受けた光の強さに対応する信号をそれぞれに出力する複数の受光素子と、
前記複数の受光素子のうち３つ以上の受光素子をそれぞれに含む複数の素子列に１つずつ個別に設けられ、前記発光部が放射した光を該複数の素子列の各々が平行光として受けるようにする複数の光学部品とを具備し、
前記演算処理部は、
前記複数の素子列の各々に含まれる前記３つ以上の受光素子のうち、対応して設けられた前記複数の光学部品の各々の光軸に最も近い１つの中央受光素子が出力する前記信号の、前記複数の素子列の各々における大きさに基づいて、前記入力領域における入力位置の前記第１軸の座標を算出し、
前記複数の素子列の各々に含まれる前記３つ以上の受光素子のうち、前記中央受光素子から一方向へＭ個目（Ｍは１以上の整数）の一側受光素子が出力する前記信号の、前記複数の素子列の各々における大きさと、前記中央受光素子から反対方向へＮ個目（Ｎは１以上の整数）の他側受光素子が出力する前記信号の、前記複数の素子列の各々における大きさとに基づいて、前記入力領域における入力位置の、前記第１軸に直交する第２軸の座標を算出すること、
を特徴とする光式タッチパネル。
【請求項１０】
前記発光部及び前記受光部を備える第１の光検出機構と、前記発光部及び前記受光部とそれぞれ同一の構成を有する第２の発光部及び第２の受光部を備える第２の光検出機構とを具備し、該第１の光検出機構の前記発光部及び前記受光部と、該第２の光検出機構の該第２の発光部及び該第２の受光部とが、前記入力領域の前記外縁に沿って互いに９０度ずれた位置に設置されている、請求項１〜９のいずれか１項に記載の光式タッチパネル。
【請求項１１】
前記演算処理部は、前記複数の受光部材が出力する前記信号の誤差を補正する補正部を有し、該補正部による補正後の前記信号に基づいて、前記入力位置の前記第１軸の座標と前記第２軸の座標とを算出する、請求項１〜１０のいずれか１項に記載の光式タッチパネル。
【発明の詳細な説明】
【技術分野】
【０００１】
本発明は、光式タッチパネルに関する。
【背景技術】
【０００２】
タッチパネルは、パーソナルコンピュータ、現金自動預払機（ＡＴＭ）、自動販売機、複写機、カーナビゲーションシステム、携帯電話、携帯情報端末（ＰＤＡ）、ゲーム機等の、表示装置を備えた電子機器において、ＬＣＤ（液晶ディスプレイ）、ＰＤＰ（プラズマパネル）、ＣＲＴ（ブラウン管）等の表示装置の画面に重ねて設置されるパネル型入力装置として知られている。オペレータは、表示装置の画面上に配置されるタッチパネルの入力領域の所望位置に指やペンを触接させて、触接位置にある画面内の表示画像の二次元座標を指示入力したり、指やペンの動作に対応する画像表示動作を指示入力したりすることにより、対応の処理を電子機器に実行させることができる。
【０００３】
指やペンによる入力を検出する方式として、赤外線等の放射光を指やペンが遮断したことを検出する遮光検出方式を採用した光式タッチパネルは、抵抗膜方式等を採用した他のタッチパネルに比べて、入力領域の光透過率や耐久性が一般に優れるものである。従来の光式タッチパネルは、矩形入力領域の外縁の対向二辺に沿ってそれぞれ配置される発光部及び受光部を備えている。発光部には、複数の発光素子（例えばＬＥＤ（発光ダイオード））が所定間隔で一列に並べて配置される。また受光部には、複数の発光素子に個別に対向する位置に、発光素子が放射した光を受けて、受けた光の強さに対応する信号をそれぞれに出力する複数の受光素子（例えばフォトダイオードやフォトトランジスタ）が、所定間隔で一列に並べて配置される。そして、このような発光部と受光部とを有する光検出機構が、矩形入力領域の外縁の二組の対向二辺に（つまり中心角９０°異なる位置に）それぞれ設置されている。光式タッチパネルの演算処理部は、直交配置される２個の光検出機構のそれぞれに対し、対向位置にある複数対の発光素子と受光素子とを走査して、個々の受光素子の出力信号に基づき、対向位置にある発光素子からの放射光が指等により遮断されたと判断される受光素子を特定し、それにより入力領域における指等の指示位置の座標（２個の光検出機構を用いた結果として二次元座標）を求める。
【０００４】
従来の光式タッチパネルの一例として、特許文献１には、座標入力位置の検出の分解能を向上させることができる座標入力／検出装置が記載されている。この座標入力／検出装置は、「各々の発光素子毎にその発光範囲内に属してその発光素子が発する光を検出する複数の受光素子を各々複数の発光素子を受け持つように重複させて割り当てておき、各発光素子を個別に順次発光させることにより、各発光素子側から見ても、各受光素子側から見ても各々の配置間隔以上に細かくなる放射状で方向の異なる複数の検出光路を設定でき、２次元の座標入力／検出領域全域をあらゆる方向の検出光路で網羅できることにより、或る発光素子と光路が遮断された受光素子との位置関係に基づき特定される座標入力された２次元座標位置を分解能高く算出できる。」というものである。
【０００５】
従来の光式タッチパネルの他の例として、特許文献２には、複数の点を同時に入力することができるタッチパネルが記載されている。このタッチパネルは「３方向、又は、それ以上の方向に延びる平行センシングライン、又は、３点、又は、それ以上の点を中心とした放射状のセンシングラインを使用して、各センシングラインの一端に、発信モジュールを置き、他の一端に受信モジュールをおいて、例えば、少なくとも、２つの受信モジュールに対応するセンシングラインの交点を求め、他の受信モジュールに対応するセンシングラインと、上記交点との距離を求めて、該距離が所定の閾値以下の点をタッチ点とするように構成する。」というものである。
【先行技術文献】
【特許文献】
【０００６】
【特許文献１】特開２００２−０９１６８３号公報（要約）
【特許文献２】特開平８−１４７０９１号公報（要約）
【発明の概要】
【発明が解決しようとする課題】
【０００７】
直交配置される２個の光検出機構（発光部及び受光部）を用いる従来の光式タッチパネル（例えば特許文献１参照）は、入力領域内で複数の異なる位置に同時に入力が行われたときに、一般には、個々の入力位置の座標を特定することができない。つまり、直交二軸座標系において、第１位置（ｘ１，ｙ１）と第２位置（ｘ２，ｙ２）とを同時入力したときに、第１位置（ｘ１，ｙ１）と、入力していない第３位置（ｘ１，ｙ２）又は第４位置（ｘ２，ｙ１）とを識別すること、また第２位置（ｘ２，ｙ２）と、同第３位置（ｘ１，ｙ２）又は第４位置（ｘ２，ｙ１）とを識別することが、通常は困難である。
【０００８】
これに対し、三方向に交差配置される３個の光検出機構（発光部及び受光部）を用いる従来の光式タッチパネル（例えば特許文献２参照）は、入力領域内で複数の異なる位置に同時に入力が行われたときに、個々の入力位置の座標を特定することができる。しかし、光検出機構の数が増えることによる装置寸法の増加及び製造コストの上昇が懸念される。
【課題を解決するための手段】
【０００９】
本発明は、入力領域内での複数の異なる位置での同時入力を、光検出機構の数を増やすことなく検出できる光式タッチパネルを提供するものである。
【００１０】
一態様では、二次元の広がりを有する入力領域と、入力領域の外縁の一部分に沿って設置される発光部と、入力領域の外縁の他部分に沿って発光部に平行かつ対向して設置される受光部と、受光部の出力信号に基づいて入力領域における入力位置を求める演算処理部とを具備する光式タッチパネルにおいて、受光部は、発光部が放射した光を所定の視野角で個々に受ける複数の受光部材であって、受けた光の強さに対応する信号をそれぞれに出力する複数の受光部材を、第１軸の方向へ並置した形態で備えており、演算処理部は、第１軸の方向へ並置した複数の受光部材のそれぞれが出力する信号に基づいて、入力領域における入力位置の、第１軸の座標と、第１軸に直交する第２軸の座標との、双方を算出すること、を特徴とする光式タッチパネルが提供される。
【００１１】
他の態様では、二次元の広がりを有する入力領域と、入力領域の外縁の一部分に沿って設置される発光部と、入力領域の外縁の他部分に沿って発光部に平行かつ対向して設置される受光部と、受光部の出力信号に基づいて入力領域における入力位置を求める演算処理部とを具備する光式タッチパネルにおいて、受光部は、第１軸の方向へ互いに直線状に連接して配置される複数の受光素子であって、発光部が放射した光を個々に受けるとともに、受けた光の強さに対応する信号をそれぞれに出力する複数の受光素子と、複数の受光素子のうち３つ以上の受光素子をそれぞれに含む複数の素子列に１つずつ個別に設けられ、発光部が放射した光を複数の素子列の各々が平行光として受けるようにする複数の光学部品とを具備し、演算処理部は、複数の素子列の各々に含まれる３つ以上の受光素子のうち、対応して設けられた複数の光学部品の各々の光軸に最も近い１つの中央受光素子が出力する信号の、複数の素子列の各々における大きさに基づいて、入力領域における入力位置の第１軸の座標を算出し、複数の素子列の各々に含まれる３つ以上の受光素子のうち、中央受光素子から一方向へＭ個目（Ｍは１以上の整数）の一側受光素子が出力する信号の、複数の素子列の各々における大きさと、中央受光素子から反対方向へＮ個目（Ｎは１以上の整数）の他側受光素子が出力する信号の、複数の素子列の各々における大きさとに基づいて、入力領域における入力位置の、第１軸に直交する第２軸の座標を算出すること、を特徴とする光式タッチパネルが提供される。
【発明の効果】
【００１２】
一態様に係る光式タッチパネルによれば、入力領域を挟んで互いに対向する発光部と受光部とを備えた１個の光検出機構の光検出データを用いて、入力領域における入力位置の第１軸座標と第２軸座標との双方を求めることができる。このとき、入力位置と、同じ第１軸座標を有する他の非入力位置とは、隣り合う受光部材の出力信号の大きさの差の変化様態に基づいて、明確に識別される。したがって、入力領域内での異なる位置での同時入力を、光検出機構の数を増やすことなく検出することができる。
【００１３】
他の態様に係る光式タッチパネルによれば、入力領域を挟んで互いに対向する発光部と受光部とを備えた１個の光検出機構の光検出データを用いて、入力領域における入力位置の第１軸座標と第２軸座標との双方を求めることができる。このとき、三角測量法の採用により、第２軸座標を比較的高精度で求めることができる。したがって、入力領域内での異なる位置での同時入力を、光検出機構の数を増やすことなく検出することができる。
【図面の簡単な説明】
【００１４】
【図１】光式タッチパネルの構成を模式図的に示す平面図である。
【図２】図１の光式タッチパネルの座標検出手法を説明する図である。
【図３】図１の光式タッチパネルの座標検出手法を説明する図である。
【図４】光式タッチパネルの構成を模式図的に示す図である。
【図５】一実施形態による光式タッチパネルの構成を模式図的に示す平面図で、（ａ）光検出機構の一例、及び（ｂ）光検出機構の他の例をそれぞれ示す。
【図６】他の実施形態による光式タッチパネルの構成を模式図的に示す平面図である。
【図７】図６の光式タッチパネルの座標検出手法を説明する図である。
【図８】他の光式タッチパネルの構成を模式図的に示す平面図である。
【図９】図８の光式タッチパネルの座標検出手法を説明する図である。
【図１０】図８の光式タッチパネルの座標検出手法を説明する図である。
【図１１】図８の光式タッチパネルの座標検出手法を説明する図である。
【発明を実施するための形態】
【００１５】
以下、添付図面を参照して、本発明の実施の形態を詳細に説明する。全図面に渡り、対応する構成要素には共通の参照符号を付す。
【００１６】
図１は、本発明の一態様による光式タッチパネル１０の構成を模式図的に示す平面図、図２及び図３は、光式タッチパネル１０の座標検出手法を説明する図である。光式タッチパネル１０は、電子機器（図示せず）が有する表示装置（図示せず）の画面に重ねて設置され、画面内の表示画像に対するオペレータの指やペンによる入力操作を可能にするものである。
【００１７】
光式タッチパネル１０は、二次元の広がり（図では平面視で矩形輪郭）を有する入力領域１２と、入力領域１２の外縁の一部分（図では矩形輪郭の対向二辺の一方）１２ａに沿って設置される発光部１４と、入力領域１２の外縁の他部分（図では矩形輪郭の対向二辺の他方）１２ｂに沿って発光部１４に平行かつ対向して設置される受光部１６と、受光部１６の出力信号に基づいて、入力領域１２における指やペンの入力位置（すなわち二次元座標）を求める演算処理部１８とを備える。発光部１４は、入力領域１２の外縁部分１２ａの略全長に及ぶ範囲で、予め定めた強さの光（例えば赤外線）Ｌを入力領域１２に向けて放射する光放射機能を有する。受光部１６は、入力領域１２の外縁部分１２ｂの略全長に及ぶ範囲で、発光部１４が入力領域１２に向けて放射した光Ｌを予め定めた視野角α（＞０）で個々に受ける複数の受光部材２０を、直交二軸座標系における第１軸（図でＸ軸）の方向へ並置した形態で備えている。それら受光部材２０の各々は、受けた光の強さに対応する電気信号（例えば電流値）を出力する光電変換機能を有する。
【００１８】
演算処理部１８は、Ｘ軸の方向へ並置した複数の受光素子２０のそれぞれが出力する信号に基づいて、入力領域１２における入力位置Ｐの、Ｘ軸の座標（ｘ）と、Ｘ軸に直交する第２軸（図でＹ軸）の座標（ｙ）との、双方を算出する。以下、図２及び図３を参照して、演算処理部１８による入力位置Ｐの算出手法（座標検出手法）を説明する。
【００１９】
光式タッチパネル１０は、使用状態で、発光部１４が、全体に渡って一様な所定強さの光Ｌを入力領域１２に向けて継続的に放射し、また受光部１６が、全ての受光部材２０で発光部１４から放射された光Ｌを受けて、光の強さに対応する一様な電気信号を個々に継続的に出力するように構成される。この使用状態で、オペレータが指等により入力領域１２の所望位置に対し入力操作を行うと、発光部１４から入力領域１２に放射された光が、受光部１６に達する前に指等により局所的に遮られて、受光部１６の複数の受光部材２０のうちいずれかの受光部材２０が受ける光の強さが弱まり、当該受光部材２０の出力信号が低下する。
【００２０】
ここで、光式タッチパネル１０では、各受光部材２０が所定の視野角αを有しているので、入力位置Ｐに応じて（したがって遮られる光の量に応じて）、入力位置Ｐに対しＹ軸方向へ実質的に整列する１つ又は複数（入力位置ＰのＸ軸方向への位置、並びに指先やペン先等の遮光物の大きさと１つの受光部材２０が受光可能な光の幅方向寸法との関係によって個数が決まる）の受光部材２０の出力信号と、その周辺の幾つかの受光部材２０の出力信号とが、入力操作を行っていない平常時の出力信号に対して有意な低下を示す。例えば、図２に１つの典型例として示す入力状態では、受光部１６よりも発光部１４に近い位置Ｐ１に入力操作が行われた結果、入力位置Ｐ１に対してＹ軸方向へ実質的に整列する１つの受光部材２０ａの出力信号Ｓと、受光部材２０ａの左右２つずつの受光部材２０ｂのそれぞれの出力信号Ｓとが、遮られる光の量に応じた大きさだけ、他の受光部材２０の出力信号Ｓよりも低くなっている（グラフＧ１）。また、図３に他の典型例として示す入力状態では、発光部１４よりも受光部１６に近い位置Ｐ２に入力操作が行われた結果、入力位置Ｐ２に対してＹ軸方向へ実質的に整列する２つの受光部材２０ｃのそれぞれの出力信号Ｓと、それら受光部材２０ｃの左右１つずつの受光部材２０ｄのそれぞれの出力信号Ｓとが、遮られる光の量に応じた大きさだけ、他の受光部材２０の出力信号Ｓよりも低くなっている（グラフＧ１）。
【００２１】
演算処理部１８は、受光部１６の全ての受光部材２０における個々の出力信号Ｓの大きさ（絶対値）を独立変数として、予め定めた関数に従い、入力位置ＰのＸ軸の座標（ｘ）を算出することができる。図２の典型例では、受光部材２０ａ自体のＸ軸上での幾何学的中央点が、入力位置Ｐ１のＸ軸の座標（ｘ１）となる。また図３の典型例では、２つの受光部材２０ｃの間のＸ軸上での幾何学的中央点が、入力位置Ｐ２のＸ軸の座標（ｘ２）となる。なお、入力位置ＰのＸ軸の座標（ｘ）を算出するための関数は、光式タッチパネル１０の設計時の実験等により適宜に設定しておくことができる。
【００２２】
さらに演算処理部１８は、受光部１６の全ての受光部材２０のうち、いずれか１つの（第１の）受光部材２０が出力する信号Ｓの大きさと、第１の受光部材２０に隣り合ういずれか１つの（第２の）受光部材２０が出力する信号Ｓの大きさとの、差Ｄ（相対値）を独立変数として、予め定めた関数に従い、入力位置ＰのＹ軸の座標（ｙ）を算出することができる。図２の典型例では、第１の受光部材２０と図でその右隣の第２の受光部材２０とのそれぞれの出力信号Ｓの大きさの差Ｄは、出力信号Ｓが最低値を示す受光部材２０ａの周辺で、比較的広い範囲に渡りなだらかに変化している（グラフＧ２）。これはすなわち、受光部１６において検出される入力位置Ｐ１の指等の陰影がぼやけていることを示し、その結果、入力位置Ｐ１が受光部１６から比較的遠いと判定できる。他方、図３の典型例では、第１の受光部材２０と図でその右隣の第２の受光部材２０とのそれぞれの出力信号Ｓの大きさの差Ｄは、出力信号Ｓが最低値を示す受光部材２０ｃの周辺で、比較的狭い範囲に渡り急激に変化している（グラフＧ２）。これはすなわち、受光部１６において検出される入力位置Ｐ２の指等の陰影が鮮明であることを示し、その結果、入力位置Ｐ２が受光部１６に比較的近いと判定できる。このような判定アルゴリズムを関数として予め定めておくことにより、入力位置Ｐ１、Ｐ２のＹ軸の座標（ｙ１）、（ｙ２）を算出できる。なお、入力位置ＰのＹ軸の座標（ｙ）を算出するための関数は、光式タッチパネル１０の設計時の実験等により適宜に設定しておくことができる。
【００２３】
上記したように、光式タッチパネル１０では、入力領域１２を挟んで互いに対向する発光部１４と受光部１６とを備えた１個の光検出機構の光検出データＳ、Ｄを用いて、入力領域１２における入力位置ＰのＸ軸座標（ｘ）とＹ軸座標（ｙ）との双方を求めることができる。例えば図２の典型例では、受光部１６の全ての受光部材２０の出力信号Ｓに基づき、所定の関数に従い、入力位置Ｐ１の座標（ｘ１，ｙ１）が求められる。このとき、入力位置Ｐ１と、同じＸ軸座標を有する他の非入力位置Ｐ１′とは、隣り合う受光部材２０の出力信号Ｓの大きさの差Ｄの変化様態に基づいて、明確に識別される。同様に、図３の典型例では、受光部１６の全ての受光部材２０の出力信号Ｓに基づき、所定の関数に従い、入力位置Ｐ２の座標（ｘ２，ｙ２）が求められる。このとき、入力位置Ｐ２と、同じＸ軸座標を有する他の非入力位置Ｐ２′とは、隣り合う受光部材２０の出力信号Ｓの大きさの差Ｄの変化様態に基づいて、明確に識別される。
【００２４】
したがって、光式タッチパネル１０では、入力領域１２において例えば第１の入力位置Ｐ１（ｘ１，ｙ１）と第２の入力位置Ｐ２（ｘ２，ｙ２）とを同時に入力操作したときに、実際の入力位置Ｐ１（ｘ１，ｙ１）と、入力していない位置Ｐ１′（ｘ１，ｙ２）又はＰ２′（ｘ２，ｙ１）とが明確に識別され、また実際の入力位置Ｐ２（ｘ２，ｙ２）と、同位置Ｐ１′（ｘ１，ｙ２）又はＰ２′（ｘ２，ｙ１）とが明確に識別されて、第１の入力位置Ｐ１（ｘ１，ｙ１）及び第２の入力位置Ｐ２（ｘ２，ｙ２）が確実に検出される。同時入力位置が３箇所以上の場合にも、１個の光検出機構（発光部１４及び受光部１６）の光検出データを用いるだけで、同様に個々の入力位置の座標を求めることができる。したがって、光式タッチパネル１０によれば、入力領域１２内での複数の異なる位置での同時入力を、光検出機構（発光部１４及び受光部１６）の数を増やすことなく検出することが可能になる。
【００２５】
１個の光検出機構（発光部１４及び受光部１６）の光検出データＳ、Ｄから入力位置Ｐの座標（ｘ，ｙ）を求める上記構成では、Ｙ軸座標の検出精度がＸ軸座標の検出精度に比べて低くなる傾向がある。そのため上記構成は、入力領域１２における座標検出精度が低くてよい用途や、一軸方向のみに高い座標検出精度が要求される用途に有用と言える。直交二軸座標系の全体に高い座標検出精度が要求される場合には、図４に示すように、発光部１４及び受光部１６を有する光検出機構を、矩形の入力領域１２の外縁の二組の対向二辺に（つまり中心角９０°異なる位置に）それぞれ設置する構成とすることが望ましい。
【００２６】
図４に示す光式タッチパネル１００は、図１に示す第１の発光部１４及び第１の受光部１６を備える第１の光検出機構１０２と、それら発光部１４及び受光部１６とそれぞれ同一の構成を有する第２の発光部１４−２及び第２の受光部１６−２を備える第２の光検出機構１０４とを具備する。第２の発光部１４−２は、入力領域１２の外縁の、第１の発光部１４が設置される部分１２ａに直交する一部分（図では矩形輪郭の第２の対向二辺の一方）１２ｃに沿って設置され、第２の受光部１６−２は、入力領域１２の外縁の、第１の受光部１６が設置される部分１２ｂに直交する他部分（図では矩形輪郭の第２の対向二辺の他方）１２ｄに沿って、第２の発光部１４−２に平行かつ対向して設置される。その結果、第１の光検出機構１０２の第１の発光部１４及び第１の受光部１６と、第２の光検出機構１０４の第２の発光部１４−２及び第２の受光部１６−２とは、入力領域１２の外縁に沿って互いに９０度ずれた位置に設置されている。
【００２７】
第２の発光部１４−２は、入力領域１２の外縁部分１２ｃの略全長に及ぶ範囲で、予め定めた強さの光（例えば赤外線）を入力領域１２に向けて放射する光放射機能を有する。第２の受光部１６−２は、入力領域１２の外縁部分１２ｄの略全長に及ぶ範囲で、第２の発光部１４−２が入力領域１２に向けて放射した光（例えば赤外線）を予め定めた視野角α（＞０）で個々に受ける複数の受光部材２０−２を、直交二軸座標系における第２軸（図でＹ軸）の方向へ並置した形態で備えている。それら受光部材２０−２の各々は、受けた光の強さに対応する電気信号（例えば電流値）を出力する光電変換機能を有する。
【００２８】
上記構成を有する光式タッチパネル１００では、演算処理部１８は、前述した座標検出手法により、第１の光検出機構１０２の光検出データ（Ｓ、Ｄ）を用いて、入力領域１２における入力位置ＰのＸ軸座標（ｘ）とＹ軸座標（ｙ）との双方を、特にＸ軸座標（ｘ）については高精度に求めることができる。また、演算処理部１８は、前述した座標検出手法と同様の手法により、第２の光検出機構１０４の光検出データ（Ｓ、Ｄ）を用いて、入力領域１２における入力位置ＰのＹ軸座標（ｙ）とＸ軸座標（ｘ）との双方を、特にＹ軸座標（ｙ）については高精度に求めることができる。したがって、光式タッチパネル１００によれば、入力領域１２の全体に渡って、Ｘ軸及びＹ軸の双方に高い座標検出精度で入力位置Ｐが検出される。また、光式タッチパネル１００においても、３個以上の光検出機構（発光部１４及び受光部１６）を装備することなく、入力領域１２内での複数の異なる位置での同時入力を検出することができる。
【００２９】
なお図では、入力領域１２の輪郭形状を正方形として示しているが、入力領域１２は、Ｘ軸方向寸法とＹ軸方向寸法とが異なる様々な矩形輪郭形状を有することができる。また、第１の光検出機構１０２における受光部材２０の個数及び視野角と、第２の光検出機構１０４における受光部材２０−２の個数及び視野角とは、互いに同一であっても異なっていてもよい。
【００３０】
光式タッチパネル１０、１００においては、複数の受光部材２０が標準状態で互いに感度差を有する場合、正確な座標検出が困難になることが危惧される。また、受光部１６の両端及びその近傍に位置する受光部材２０は、他の受光部材２０に比べて、発光部１４からの受光量が少なかったり（光式タッチパネル１０の場合）、或いは別の光検出機構の発光部１４からの放射光の侵入により受光量が多かったり（光式タッチパネル１００の場合）することが予測され、やはり、正確な座標検出が困難になることが危惧される。そこで、演算処理部１８は、複数の受光部材２０の感度差や配置に起因する出力信号Ｓの誤差を補正する補正部２２を有することができる（図４）。この構成では、演算処理部１８は、補正部２２による補正後の出力信号Ｓに基づいて、入力位置ＰのＸ軸座標（ｘ）とＹ軸座標（ｙ）とを算出する。このような構成によれば、入力領域１２における座標検出精度を一層向上させることができる。
【００３１】
補正部２２による補正手法の一例として、使用状態の光式タッチパネル１０、１００に対し、入力領域１２に指やペン等の遮光物体が存在しない状態で複数の受光部材２０の出力信号Ｓを記録し、それら受光部材２０の出力信号Ｓを共通の基準値（例えば１）に変換する補正係数を、個々の受光部材２０について予め求めておく。そして、入力位置の検出時には、個々の受光部材２０の出力信号Ｓに予め求めた補正係数を乗ずることで、受光部材２０の感度差や配置に起因する出力信号Ｓの誤差を補正することができる。
【００３２】
光式タッチパネル１０、１００は、パーソナルコンピュータ、現金自動預払機（ＡＴＭ）、自動販売機、複写機、カーナビゲーションシステム、携帯電話、携帯情報端末（ＰＤＡ）、ゲーム機等の、表示装置を備えた電子機器（図示せず）において、ＬＣＤ（液晶ディスプレイ）、ＰＤＰ（プラズマパネル）、ＣＲＴ（ブラウン管）等の表示装置（図示せず）の画面上に、適当な配置で設置できる。オペレータが指やペンにより入力操作する入力領域１２は、表示装置の画面に重ねて配置可能な透明なガラス板やプラスチック板等から形成できる。或いは、そのような透明板製の入力領域１２を設ける代わりに、表示装置の画面自体を入力領域１２としてもよい。オペレータによる入力操作は、通常は指先やペン先を入力領域１２の表面に触接させることにより行われるが、例えば発光部１４から受光部１６に至る光検出ラインを入力領域１２の表面から幾分離れた位置に設定することにより、指先やペン先を入力領域１２の表面に触接させずに入力操作可能な構成とすることもできる。
【００３３】
図５は、光式タッチパネル１０の一実施形態を、演算処理部１８を省略して模式図的に示す。この実施形態では、発光部１４は、入力領域１２の外縁部分１２ａに沿って第１軸（Ｘ軸）の方向へ所定ピッチｔ１で並べて配置される複数の発光素子（例えば発光ダイオード（ＬＥＤ））２４と、それら発光素子２４に１つずつ個別に設けられ、個々の発光素子２４が放射した光Ｌを予め定めた放射角β（＞０）で受光部１６に向ける複数の光学部品（例えばレンズ、ミラー等）２６とを備えて構成される。複数の発光素子２４は、入力領域１２の外縁部分１２ａの略全長に渡って適当に分散された位置で、予め定めた強さの光（例えば赤外線）を入力領域１２に向けて放射する。また、受光部１６は、入力領域１２の外縁部分１２ｂに沿って第１軸（Ｘ軸）の方向へ所定ピッチｔ２で並べて配置される複数の受光素子（例えばフォトダイオードやフォトトランジスタ）２８と、それら受光素子２８に１つずつ個別に設けられ、発光部１４から放射された光Ｌを各受光素子２８が前述した視野角αで受けるようにする複数の光学部品（例えばレンズ、ミラー等）３０とを備えて構成される。複数の受光素子２８は、入力領域１２の外縁部分１２ｂの略全長に渡って適当に分散された位置で、複数の発光素子２４から放射角βで放射された光Ｌを視野角αで個々に受け、受けた光の強さに対応する電気信号（例えば電流値）を個々に出力する。この実施形態では、１つの受光素子２８と、当該受光素子２８に対応して設けられた１つの光学部品３０とが、図１に示す複数の受光部材２０の各々を構成する。
【００３４】
上記実施形態において、演算処理部１８（図１）は、受光部１６の全ての受光素子２８における個々の出力信号Ｓ（図２及び図３）の大きさ（絶対値）を独立変数として、予め定めた関数に従い、入力位置Ｐの第１軸（Ｘ軸）の座標（ｘ）を算出することができる。また演算処理部１８（図１）は、受光部１６の全ての受光素子２８のうち、いずれか１つの（第１の）受光素子２８が出力する信号Ｓの大きさと、第１の受光素子２８に隣り合う１つの（第２の）受光素子２８が出力する信号Ｓの大きさとの、差Ｄ（相対値）（図２及び図３）を独立変数として、予め定めた関数に従い、入力位置Ｐの第２軸（Ｙ軸）の座標（ｙ）を算出することができる。このような構成によれば、光式タッチパネル１０の前述した効果と同等の格別の効果が奏されることに加えて、例えば発光部１４や受光部１６の補修に際し、発光部１４の一部の発光素子２４のみを交換したり、受光部１６の一部の受光素子２８のみを交換したりすることができるので、メンテナンスコストを抑制できる利点が得られる。
【００３５】
上記実施形態では、例えば図５（ａ）に１つの典型例として示すように、複数の発光素子２４の各々と複数の受光素子２８の各々とが、Ｙ軸の方向へ互いに正対する位置に配置される構成とすることができる。或いは、図５（ｂ）に他の典型例として示すように、複数の発光素子２４の各々と複数の受光素子２８の各々とが、Ｙ軸の方向へ互いに正対しない位置であって、Ｘ軸の方向へ１／２ピッチだけ互いにずれた位置に配置される構成とすることができる。なお図示の典型例では、発光素子２４の配置ピッチｔ１と受光素子２８の配置ピッチｔ２とが互いに同一になっているが、これらピッチｔ１、ｔ２は互いに異なっていてもよい。また、光学部品２６によって定められる各発光素子２４の放射角βと、光学部品３０によって定められる各受光素子２８の視野角αとは、互いに同一であっても異なっていてもよい。
【００３６】
光学部品２６によって定められる各発光素子２４の放射角βは、例えば２つ（図５（ｂ））以上、７つ（図５（ａ））以下の受光素子２８に光Ｌを照射する角度範囲から選択できる。同様に、光学部品３０によって定められる各受光素子２８の視野角αは、例えば２つ（図５（ｂ））以上、７つ（図５（ａ））以下の発光素子２４からの光Ｌを受ける角度範囲から選択できる。放射角βが、２つ未満の受光素子２８又は７つを超える受光素子２８に光Ｌを照射する角度であったり、視野角αが、２つ未満の発光素子２４又は７つを超える発光素子２４からの光Ｌを受ける角度であったりすると、隣り合う受光素子２８の出力信号Ｓの大きさの差Ｄ（図２及び図３）が、入力位置ＰのＹ軸座標が変わってもあまり変化せず、Ｙ軸座標の検出精度及び多点同時入力に対する検出確度が、一般的なタッチパネルとしての要求を満たさなくなる傾向がある。
【００３７】
各発光素子２４に設けられる光学部品２６については、図５（ａ）に示すように、発光素子２４の構成要素である素子チップを収容する透明パッケージ（例えばＬＥＤランプのパッケージ）自体に予め設けられているレンズ状部分に、光学部品２６の機能を持たせるようにしてもよいし、或いは図５（ｂ）に示すように、発光素子２４とは別体の光学部品２６を用いるようにしてもよい。同様に、各受光素子２８に設けられる光学部品３０については、図５（ａ）に示すように、受光素子２８の構成要素である素子チップを収容する透明パッケージ（例えばフォトダイオードのパッケージ）自体に予め設けられているレンズ状部分に、光学部品３０の機能を持たせるようにしてもよいし、或いは図５（ｂ）に示すように、受光素子２８とは別体の光学部品３０を用いるようにしてもよい。発光素子２４又は受光素子２８自体が有するパッケージのレンズ状部分を光学部品２６、３０として用いる構成では、タッチパネル１０の構成部品の点数を削減できる利点が有る。他方、発光素子２４又は受光素子２８とは別体の光学部品２６、３０を用いる構成では、光学部品２６、３０を交換するだけで、発光素子２４の放射角βや受光素子２８の視野角αを必要に応じて調整できる利点が有る。
【００３８】
上記実施形態において、発光部１４として、Ｘ軸方向へ所定ピッチで並べて配置される複数の発光素子２４を有する構成に代えて、Ｘ軸方向へ延びる導光部材を有する構成を採用することができる。また、受光部１６として、Ｘ軸方向へ所定ピッチで並べて配置される複数の受光素子２８を有する構成に代えて、Ｘ軸方向へ互いに直線状に連接して配置される複数の受光素子（素子チップ）を有する構成（いわゆるラインセンサ）を採用することができる。図６は、発光部１４及び受光部１６の双方にこのような代替的構成を採用した、光式タッチパネル１０の他の実施形態を、演算処理部１８を省略して模式図的に示す。また図７は、図６の実施形態による光式タッチパネル１０の座標検出手法を説明する図である。
【００３９】
図６及び図７に示すように、この実施形態では、発光部１４は、入力領域１２の外縁部分１２ａに沿って第１軸（Ｘ軸）の方向へ延設される導光部材３２を備えて構成される。導光部材３２は、光源３４から放射された光を長手方向へ伝播して、入力領域１２の外縁部分１２ａの略全長に及ぶ範囲で、予め定めた強さの光（例えば赤外線）Ｌを入力領域１２に向けて放射する。導光部材３２としては、アクリル等の樹脂材料から所望形状に成形された導光板を使用できる。また、受光部１６は、入力領域１２の外縁部分１２ｂに沿って第１軸（Ｘ軸）の方向へ互いに直線状に連接して配置される複数の受光素子（例えばフォトダイオード等の素子チップ）３６と、それら受光素子３６のうち１つ以上の受光素子３６をそれぞれに含む複数の素子列３８に１つずつ個別に設けられ、発光部１４から放射された光Ｌを各素子列３８が前述した視野角αで受けるようにする複数の光学部品（例えばレンズ、ミラー等）４０とを備えて構成される。複数の受光素子３６は、基材４２の表面に直線状に連接して設置されて、いわゆるラインセンサとして用意される。複数の素子列３８に含まれる複数の受光素子３６は、入力領域１２の外縁部分１２ｂの略全長に渡って適当に分散された位置で、導光部材３２から放射された光Ｌを視野角αで個々に受け、各受光素子３６が、受けた光の強さに対応する電気信号（例えば電流値）を個々に出力する。この実施形態では、１つの素子列３８と、当該素子列３８に対応して設けられた１つの光学部品４０とが、図１に示す複数の受光部材２０の各々を構成する。
【００４０】
上記実施形態において、演算処理部１８（図１）は、受光部１６の全ての受光素子３６における個々の出力信号Ｓ（図２及び図３）の大きさ（絶対値）を独立変数として、予め定めた関数に従い、入力位置Ｐの第１軸（Ｘ軸）の座標（ｘ）を算出することができる。また演算処理部１８（図１）は、受光部１６の全ての素子列３８のうち、いずれか１つの（第１の）素子列３８に含まれるいずれか１つの特定受光素子３６ａが出力する信号Ｓの大きさと、第１の素子列３８に対応して設けられた光学部品４０に隣り合う他の１つの光学部品４０に対応する１つの（第２の）素子列３８に含まれる、第１の素子列３８の特定受光素子３６ａと同じ相対位置にあるいずれか１つの特定受光素子３６ａが出力する信号Ｓの大きさとの、差Ｄ（相対値）（図２及び図３）を独立変数として、予め定めた関数に従い、入力位置Ｐの第２軸（Ｙ軸）の座標（ｙ）を算出することができる。例えば、個々の光学部品４０の光軸４０ａに最も近い（図では左側に隣接する）１つの受光素子３６を特定受光素子３６ａとして、その光検出データを用いて差Ｄを求めることができる。
【００４１】
或いは、演算処理部１８（図１）は、受光部１６の全ての素子列３８のうち、いずれか１つの（第１の）素子列３８に含まれるいずれか２つ以上の特定受光素子３６ａが出力する信号Ｓの大きさの総和と、第１の素子列３８に対応して設けられた光学部品４０に隣り合う他の１つの光学部品４０に対応する１つの（第２の）素子列３８に含まれる、第１の素子列３８の特定受光素子３６ａと同じ相対位置にあるいずれか２つ以上の特定受光素子３６ａが出力する信号Ｓの大きさの総和との、差Ｄを独立変数として、予め定めた関数に従い、入力位置ＰのＹ軸の座標（ｙ）を算出することもできる。いずれの座標検出手法を採用する場合にも、上記構成によれば、光式タッチパネル１０の前述した効果と同等の格別の効果が奏されることに加えて、ラインセンサが本質的に有する解像度の高さにより、座標検出精度を向上させることができる。
【００４２】
上記実施形態において、光学部品４０によって定められる各素子列３８の視野角αは、図５の実施形態に準ずる角度範囲から選択できる。また、演算処理部１８が入力位置Ｐの座標（ｘ，ｙ）の算出に際して光検出データを参照する特定受光素子３６ａを、素子列３８の中のどの受光素子３６とするかは、予めオペレータが演算処理部１８に設定できる。
【００４３】
図５及び図６に示す実施形態はいずれも、図４の光式タッチパネル１００と同様に、互いに同一構造の光検出機構（発光部１４及び受光部１６）が、矩形の入力領域１２の外縁の二組の対向二辺に（つまり中心角９０°異なる位置に）それぞれ設置される構成とすることもできる。この構成により、直交二軸座標系の全体に高い座標検出精度を実現できる。また、図５及び図６に示す実施形態はいずれも、演算処理部１８が、複数の受光素子２８、３６の感度差や配置に起因する出力信号Ｓの誤差を補正する補正部２２（図４）を有する構成とすることもできる。この構成により、入力領域１２における座標検出精度を一層向上させることができる。
【００４４】
図８は、本発明の他の態様による光式タッチパネル２００の構成を模式図的に示す。また図９〜図１１は、図８の光式タッチパネル２００の座標検出手法を説明する図である。光式タッチパネル２００は、受光部１６の光学部品の構成及び演算処理部１８による座標検出手法が異なる以外は、図６の実施形態による光式タッチパネル１０と同等の構成を有するので、対応の構成要素には共通する参照符号を付してその詳細な説明を省略する。
【００４５】
光式タッチパネル２００は、二次元の広がりを有する入力領域１２と、入力領域１２の外縁の一部分１２ａに沿って設置される発光部１４と、入力領域１２の外縁の他部分１２ｂに沿って発光部１４に平行かつ対向して設置される受光部１６と、受光部１６の出力信号Ｓ（図２及び図３）に基づいて、入力領域１２における指やペンの入力位置（すなわち二次元座標）を求める演算処理部１８とを備える。発光部１４は、入力領域１２の外縁部分１２ａに沿って第１軸（Ｘ軸）の方向へ延設される導光部材３２を備えて構成される。導光部材３２は、光源３４から放射された光を長手方向へ伝播して、入力領域１２の外縁部分１２ａの略全長に及ぶ範囲で、予め定めた強さの光（例えば赤外線）Ｌを入力領域１２に向けて放射する。また、受光部１６は、入力領域１２の外縁部分１２ｂに沿って第１軸（Ｘ軸）の方向へ互いに直線状に連接して配置される複数の受光素子３６と、それら受光素子３６のうち３つ以上の受光素子３６をそれぞれに含む複数の素子列３８に１つずつ個別に設けられ、発光部１４から放射された光Ｌを各素子列３８が平行光として（つまり視野角α＝０で）受けるようにする複数の光学部品（例えばレンズ、ミラー等）２０２とを備えて構成される。複数の受光素子３６は、基材４２の表面に直線状に連接して設置されて、いわゆるラインセンサとして用意される。複数の素子列３８に含まれる複数の受光素子３６は、入力領域１２の外縁部分１２ｂの略全長に渡って適当に分散された位置で、導光部材３２から放射された光Ｌを平行光として個々に受け、各受光素子３６が、受けた光の強さに対応する電気信号（例えば電流値）を個々に出力する。
【００４６】
光式タッチパネル２００において、演算処理部１８は、受光部１６の全ての素子列３８の各々に含まれる３つ以上の受光素子３６のうち、対応して設けられた各光学部品２０２の光軸２０２ａに最も近い（図では左側に隣接する）１つの中央受光素子３６ｂ（図９）が出力する信号Ｓ（図２及び図３）の、各素子列３８における大きさ（絶対値）に基づいて、入力領域１２における入力位置Ｐの第１軸（Ｘ軸）の座標を算出する。この実施形態では、各受光素子３６は、導光部材３２から放射された光Ｌを平行光として受けるので、入力位置Ｐに対しＹ軸方向へ実質的に整列する１つ又は複数（入力位置ＰのＸ軸方向への位置、並びに指先やペン先等の遮光物の大きさと１つの素子列３８が受光可能な光の幅方向寸法との関係によって個数が決まる）の素子列３８の中央受光素子３６ｂの出力信号Ｓが、遮られる光の量に応じた大きさだけ、他の素子列３８の中央受光素子３６ｂの出力信号Ｓよりも低くなる。したがって演算処理部１８は、全ての素子列３８における中央受光素子３６ｂの出力信号Ｓの大きさ（絶対値）を独立変数として、予め定めた関数に従い、入力位置ＰのＸ軸の座標（ｘ）を算出することができる。なお、入力位置ＰのＸ軸の座標（ｘ）を算出するための関数は、光式タッチパネル１０の設計時の実験等により適宜に設定しておくことができる。
【００４７】
また、演算処理部１８は、受光部１６の全ての素子列３８の各々に含まれる３つ以上の受光素子３６のうち、中央受光素子３６ｂから一方向へＭ個目（Ｍは１以上の整数：図では左側Ｍ＝２）の一側受光素子３６ｃ（図１０）が出力する信号Ｓの、各素子列３８における大きさ（絶対値）と、中央受光素子３６ｂから反対方向へＮ個目（Ｎは１以上の整数：図では右側Ｎ＝４）の他側受光素子３６ｄ（図１１）が出力する信号Ｓの、各素子列３８における大きさ（絶対値）とに基づいて、入力領域１２における入力位置Ｐの、Ｘ軸に直交する第２軸（Ｙ軸）の座標を算出する。上記したように、この実施形態では、各受光素子３６は、導光部材３２から放射された光Ｌを平行光として受けるので、入力位置Ｐに対し、Ｙ軸に所定角度で斜交する方向Ｒ１、Ｒ２へ実質的に整列する１つ又は複数（指先やペン先等の遮光物の大きさと１つの素子列３８が受光可能な光の幅方向寸法との関係によって個数が決まる）の素子列３８の、一側受光素子３６ｃ及び他側受光素子３６ｄの出力信号Ｓが、中央受光素子３６ｂと同様に、遮られる光の量に応じた大きさだけ、他の素子列３８の一側受光素子３６ｃ及び他側受光素子３６ｄの出力信号Ｓよりも低くなる。
【００４８】
そこで演算処理部１８は、まず、全ての素子列３８における一側受光素子３６ｃ及び他側受光素子３６ｄのうち、出力信号Ｓの大きさ（絶対値）が最も低下した一側受光素子３６ｃ及び他側受光素子３６ｄのそれぞれのＸ軸座標（ｘｑ１）、（ｘｑ２）を、着目点Ｑ１、Ｑ２として算出する。さらに演算処理部１８は、算出した着目点Ｑ１、Ｑ２のそれぞれのＸ軸座標（ｘｑ１）、（ｘｑ２）と、方向Ｒ１、Ｒ２のそれぞれがＹ軸に対して成す傾斜角度（素子列３８内での一側受光素子３６ｃ及び他側受光素子３６ｄの相対位置によって決まる）とに基づき、三角測量の手法により、入力位置ＰのＹ軸の座標（ｙ）を算出することができる。
【００４９】
光式タッチパネル２００は、前述した光式タッチパネル１０とは異なり、平行光を受光するラインセンサの個々の受光素子３６の光検出データを用いるとともに、入力位置ＰのＹ軸座標（ｙ）の算出手法として三角測量法を採用しているので、入力領域１２を挟んで互いに対向する発光部１４と受光部１６とを備えた１個の光検出機構の光検出データＳを用いて、入力領域１２における入力位置ＰのＸ軸座標（ｘ）とＹ軸座標（ｙ）との双方を、比較的高い精度で求めることができる。また、三角測量法の採用により、光式タッチパネル１０と同様に、入力領域１２内での複数の異なる位置での同時入力を検出することができる。
【００５０】
上記実施形態において、演算処理部１８が入力位置Ｐの座標（ｘ，ｙ）の算出に際して光検出データを参照する中央受光素子３６ｂ、一側受光素子３６ｃ及び他側受光素子３６ｄを、それぞれ素子列３８の中のどの受光素子３６とするかは、予めオペレータが演算処理部１８に設定できる。また、上記実施形態は、図４の光式タッチパネル１００と同様に、互いに同一構造の光検出機構（発光部１４及び受光部１６）が、矩形の入力領域１２の外縁の二組の対向二辺に（つまり中心角９０°異なる位置に）それぞれ設置される構成とすることもできる。この構成により、直交二軸座標系の全体に高い座標検出精度を実現できる。また、上記実施形態は、演算処理部１８が、複数の受光素子２８、３６の感度差や配置に起因する出力信号Ｓの誤差を補正する補正部２２（図４）を有する構成とすることもできる。この構成により、入力領域１２における座標検出精度を一層向上させることができる。
【符号の説明】
【００５１】
１０、１００、２００    光式タッチパネル
１２    入力領域
１４    発光部
１６    受光部
１８    演算処理部
２０    受光部材
２２    補正部
２４    発光素子
２６、３０、４０、２０２    光学部品
２８、３６    受光素子
３２    導光部材
３４    光源
３６ａ    特定受光素子
３６ｂ    中央受光素子
３６ｃ    一側受光素子
３６ｄ    他側受光素子
３８    素子列
４０ａ    光軸
【図１】
2011081740.tif 000003
【図２】
2011081740.tif 000004
【図３】
2011081740.tif 000005
【図４】
2011081740.tif 000006
【図５】
2011081740.tif 000007
【図６】
2011081740.tif 000008
【図７】
2011081740.tif 000009
【図８】
2011081740.tif 000010
【図９】
2011081740.tif 000011
【図１０】
2011081740.tif 000012
【図１１】
2011081740.tif 000013